(57)【要約】【課題】非可逆回路素子の周囲に配置される複数の部品が永久磁石の磁気による吸引力により移動して位置ずれするのを抑制することができる技術を提供する。【解決手段】非可逆回路素子１００の周囲に配置される各部品３のうち、非可逆回路素子１００が有する永久磁石１０２による磁界の磁力線が密な部分に配置される部品３が、磁力線が疎な部分に配置される部品３よりも非可逆回路素子１００から離れて位置している。したがって、非可逆回路素子１００に向う吸引力の大きさが大きい磁力線が密な部分における部品３が非可逆回路素子１００から離れて配置されることにより、非可逆回路素子１００の周囲に配置される複数の部品３が永久磁石１０２の磁気による吸引力により移動して位置ずれするのを抑制することができる。【選択図】図１
2015039113.tif 000002
【特許請求の範囲】
【請求項１】
永久磁石を有する非可逆回路素子と、
前記非可逆回路素子の周囲に配置される複数の部品と、
前記非可逆回路素子および前記各部品が実装される基板とを備え、
前記各部品それぞれは外部電極を有し、前記各部品のうち、前記非可逆回路素子が有する前記永久磁石による磁界の磁力線が密な部分に配置される前記部品が、前記磁力線が疎な部分に配置される前記部品よりも前記非可逆回路素子から離れて位置する
ことを特徴とする部品モジュール。
【請求項２】
前記各部品それぞれは直方体状の部品本体を有し、前記部品本体の長手方向における両端それぞれに前記外部電極が設けられており、
前記各部品のうち、隣接配置される複数の前記部品について、
前記永久磁石の磁気による吸引力の方向に前記部品本体の長手方向がほぼ直交して配置された前記部品が、前記吸引力の方向に前記部品本体の長手方向がほぼ平行に配置された前記部品よりも前記非可逆回路素子から離れて位置する
ことを特徴とする請求項１に記載の部品モジュール。
【請求項３】
前記基板に設けられ前記部品の前記外部電極とはんだにより接続されるランド電極を備え、
前記ランド電極は端縁部分に該端縁部分から延出した延出部を有する
ことを特徴とする請求項１または２に記載の部品モジュール。
【請求項４】
前記延出部は、前記非可逆回路素子から遠い側の端縁部分に形成されていることを特徴とする請求項３に記載の部品モジュール。
【請求項５】
前記延出部は、前記永久磁石の磁気による吸引力の方向に交差する方向に延伸して形成されていることを特徴とする請求項３または４に記載の部品モジュール。
【請求項６】
２個の前記ランド電極が所定距離隔てて前記永久磁石の磁気による吸引力の方向に直交する方向に並べて配置され、
前記両ランド電極のそれぞれに前記延出部が互いに異なる方向に延伸して形成されていることを特徴とする請求項５に記載の部品モジュール。
【請求項７】
前記ランド電極の端縁部分に複数の前記延出部が互いに異なる方向に延伸して形成されていることを特徴とする請求項３ないし６のいずれかに記載の部品モジュール。
【請求項８】
前記各延出部のうち、少なくとも２個の前記延出部が前記永久磁石の磁気による吸引力の方向に平行な直線について線対称の位置に配置されていることを特徴とする請求項７に記載の部品モジュール。
【請求項９】
２個の前記ランド電極が所定距離隔てて配置され、
一方の前記ランド電極の他方の前記ランド電極に対向する端縁部分に、２個の前記延出部が所定間隔を開けて配置されると共に互いに外側に広がるように延伸して形成され、
前記他方のランド電極の前記一方のランド電極に対向する端縁部分に、２個の前記延出部が所定間隔を開けて配置されると共に互いに外側に広がるように延伸して形成されている
ことを特徴とする請求項３ないし８のいずれかに記載の部品モジュール。
【請求項１０】
２個の前記ランド電極が所定距離隔てて配置され、
一方の前記ランド電極の他方の前記ランド電極と反対側の端縁部分に、２個の前記延出部が所定間隔を開けて配置されると共に互いに外側に広がるように延伸して形成され、
前記他方のランド電極の前記一方のランド電極と反対側の端縁部分に、２個の前記延出部が所定間隔を開けて配置されると共に互いに外側に広がるように延伸して形成されている
ことを特徴とする請求項３ないし８のいずれかに記載の部品モジュール。
【請求項１１】
直方体状の前記部品が、その長手方向が前記永久磁石の磁気による吸引力の方向にほぼ直交するように配置されて前記ランド電極に実装され、前記部品の長手方向における両端それぞれに前記外部電極が設けられていることを特徴とする請求項３ないし１０のいずれかに記載の部品モジュール。
【請求項１２】
前記非可逆回路素子は、一対の前記永久磁石を有し、一方の前記永久磁石の一の磁極と他方の前記永久磁石の反対の磁極との間にフェライトが配置されて形成されている
ことを特徴とする請求項１ないし１１のいずれかに記載の部品モジュール。
【発明の詳細な説明】
【技術分野】
【０００１】
本発明は、永久磁石を有する非可逆回路素子が実装される基板を備える部品モジュールに関する。
【背景技術】
【０００２】
従来より、予め定められた特定方向にのみ信号を伝送する特性を利用して、アイソレータやサーキュレータなどの非可逆回路素子が、携帯電話や無線ＬＡＮ機器などの通信端末の送信回路部に設けられている。すなわち、送信回路部が備える電力増幅モジュールなどの高周波モジュール（部品モジュール）に非可逆回路素子１００が搭載されている（例えば、特許文献１参照）。図２０および図２１に示すように、高周波モジュールに搭載される非可逆回路素子１００は、例えば、中心電極１０３，１０４が設けられた直方体状のフェライト１０１と、一対の永久磁石１０２とを備えている。また、フェライト１０１に直流磁界Ｂが印加されるように、一対の直方体状の永久磁石１０２の間にフェライト１０１が挟み込まれて非可逆回路素子１００が形成されている。
【０００３】
フェライト１０１は、一対の対向する主面を有する直方体状を有し、両主面に、第１の中心電極１０３および第２の中心電極１０４が互いに絶縁された状態で設けられている。また、フェライト１０１の下端面には、入力端子１０５、出力端子１０６および接地端子１０７が直線状に配置されて設けられている。ところで、近年、通信端末の小型化および薄型化に伴い、通信端末に搭載される高周波モジュールの小型化および低背化が要求されている。したがって、高周波モジュールの小型化および低背化を図るために、非可逆回路素子１００は、永久磁石１０２の直流磁界Ｂが外部に漏れることを防止するヨークが省かれた状態で基板２に実装される。
【０００４】
具体的には、高周波モジュールが備える基板２に直線状に配置して設けられた実装用のランド電極２ａ〜２ｃと、フェライト１０１の下端面に設けられた入力端子１０５、出力端子１０６および接地端子１０７とがはんだにより接続される。また、高周波モジュールの基板２には、非可逆回路素子１００の特性を調整するためのインダクタやキャパシタ、抵抗などのチップ部品３（部品）が実装される。具体的には、チップ部品３の両端それぞれに設けられた外部電極３ａと、基板２の非可逆回路素子１００の実装位置の周囲に設けられた実装用のランド電極２ｄ〜２ｈとがはんだにより接続される。
【０００５】
また、基板２に設けられた配線電極（図示省略）により、基板２に実装された非可逆回路素子１００およびチップ部品３等の各種部品が電気的に接続されている。以上のように、ヨークが省かれた状態で非可逆回路素子１００が基板２に実装されることにより、ヨークを実装するスペースを基板２上に確保する必要がない。したがって、例えば、中心電極として銅線が巻回されたフェライトが一対の永久磁石の間に配置された非可逆回路素子が搭載された高周波モジュールの構成と比較すると、高周波モジュールの小型化および低背化を図ることができる。なお、図２０は非可逆回路素子の一例を示す図、図２１は図２０の非可逆回路素子の分解斜視図である。
【先行技術文献】
【特許文献】
【０００６】
【特許文献１】特開２０１１−１９９６０２号公報（段落００２５〜００４５、図１，２，４〜８など）
【発明の概要】
【発明が解決しようとする課題】
【０００７】
ところで、電磁シールドとして機能するヨークが基板２に設けられていなければ、部品モジュールが形成される際に、次のような問題が生じるおそれがある。すなわち、非可逆回路素子１００および外部電極３ａを有する部品３が基板２上の各ランド電極２ａ〜２ｈにはんだにより実装されるときに、非可逆回路素子１００の周囲のランド電極２ｄ〜２ｈに実装されるチップ部品３が、例えばリフロー等によりはんだが溶融した際などに永久磁石１０２の磁気による吸引力により移動して所望の位置からずれるおそれがある。
【０００８】
この発明は、上記した課題に鑑みてなされたものであり、非可逆回路素子の周囲に配置される複数の部品が永久磁石の磁気による吸引力により移動して位置ずれするのを抑制することができる技術を提供することを目的とする。
【課題を解決するための手段】
【０００９】
上記した目的を達成するために、本発明の部品モジュールは、永久磁石を有する非可逆回路素子と、前記非可逆回路素子の周囲に配置される複数の部品と、前記非可逆回路素子および前記各部品が実装される基板とを備え、前記各部品それぞれは外部電極を有し、前記各部品のうち、前記非可逆回路素子が有する前記永久磁石による磁界の磁力線が密な部分に配置される前記部品が、前記磁力線が疎な部分に配置される前記部品よりも前記非可逆回路素子から離れて位置することを特徴としている。
【００１０】
このように構成された発明では、非可逆回路素子の周囲に、非可逆回路素子が有する永久磁石による磁界の磁力線が疎な部分と密な部分とが形成される。また、非可逆回路素子の周囲に配置される複数の部品それぞれが有する外部電極が、永久磁石による磁界の磁力線が疎な部分から密な部分に向う方向への吸引力により永久磁石（非可逆回路素子）に向って吸引される。また、各部品（外部電極）を吸引する吸引力の大きさは、部品が配置された位置における磁力線が密であるほど大きくなる。
【００１１】
しかしながら、各部品のうち、非可逆回路素子が有する永久磁石による磁界の磁力線が密な部分に配置される部品が、磁力線が疎な部分に配置される部品よりも非可逆回路素子から離れて位置している。永久磁石による磁界の磁力線は非可逆回路素子から離れるのに従い疎になるので、永久磁石の磁気による吸引力の大きさは、永久磁石から離れるのに従い小さくなる。したがって、永久磁石による磁力線が密な部分における部品が非可逆回路素子から離れて配置されることにより、例えば金属製のヨークを省略しても、非可逆回路素子の周囲に配置される複数の部品が永久磁石の磁気による吸引力により移動して位置ずれするのを抑制することができる。また、各部品の位置ずれが抑制されるので、部品の位置ずれ不良の発生率を低減することができる。
【００１２】
また、前記各部品それぞれは直方体状の部品本体を有し、前記部品本体の長手方向における両端それぞれに前記外部電極が設けられており、前記各部品のうち、隣接配置される複数の前記部品について、前記永久磁石の磁気による吸引力の方向に前記部品本体の長手方向がほぼ直交して配置された前記部品が、前記吸引力の方向に前記部品本体の長手方向がほぼ平行に配置された前記部品よりも前記非可逆回路素子から離れて位置するようにするとよい。
【００１３】
隣接配置されることにより磁力線密度がほぼ同様の位置に配置された複数の部品について、直方体状の部品本体の長手方向が永久磁石の磁気による吸引力の方向にほぼ直交して配置された一方の部品は、部品本体の長手方向における両端それぞれに設けられた外部電極が、永久磁石（非可逆回路素子）からの距離がほぼ同一の距離に配置される。したがって、部品本体両端それぞれに設けられた外部電極は、両方ともにほぼ同じ大きさの吸引力により非可逆回路素子に向って吸引される。
【００１４】
その一方で、永久磁石の磁気による吸引力の方向に部品本体の長手方向がほぼ平行に配置された他方の部品では、部品本体の長手方向における両端それぞれに設けられた外部電極のうち、永久磁石からの距離が遠い位置に配置された外部電極を吸引する吸引力の大きさは、永久磁石からの距離が近い位置に配置された外部電極を吸引する吸引力の大きさよりも小さい。
【００１５】
また、一方の部品と他方の部品とが非可逆回路素子からの距離がほぼ同じ位置に配置された場合に、非可逆回路素子により近い位置に配置される外部電極の数は、一方の部品の方が他方の部品に比べて多い。したがって、一方の部品は、他方の部品よりも大きい吸引力で非可逆回路素子（永久磁石）に向って吸引される。しかしながら、より大きな吸引力で吸引される一方の部品が、他方の部品よりも非可逆回路素子から離れて位置することにより、一方の部品に作用する吸引力の大きさの低減が図られている。したがって、各部品が永久磁石の磁気による吸引力により位置ずれするのをより効果的に抑制することができる。
【００１６】
また、前記基板に設けられ前記部品の前記外部電極とはんだにより接続されるランド電極を備え、前記ランド電極は端縁部分に該端縁部分から延出した延出部を有するとよい。
【００１７】
このようにすると、ランド電極の端縁部分に該端縁部分から延出した延出部が設けられているので、延出部にはんだ溜まりが生じて部品の側面にはんだフィレットが形成される。したがって、はんだフィレットにより、永久磁石の磁気による吸引力により部品が位置ずれするのを抑制することができる。また、リフロー等によりフィレットのはんだが溶融した場合は、溶融したはんだにより生じる表面張力により、永久磁石に向う吸引力により部品が位置ずれするのを抑制することができる。また、部品の側面に形成されるはんだフィレットにより部品の位置ずれを抑制することができるので、各部品および非可逆回路素子を互いに近接配置することができる。したがって、各部品および非可逆回路素子の狭ギャップ化を図り、基板に実装される部品の高密度化を図ることができる。また、延出部に形成されるはんだフィレットが溶融したときに生じる表面張力により、部品のセルフアライメント効果の向上を図ることができる。
【００１８】
また、前記延出部は、前記非可逆回路素子から遠い側の端縁部分に形成されているとよい。
【００１９】
このようにすれば、非可逆回路素子から遠い側の端縁部分に形成された延出部の位置において部品の側面にはんだフィレットが形成されるので、リフロー等によりはんだが溶融した際に、非可逆回路素子（永久磁石）に向って部品（外部電極）を吸引する吸引力の方向と逆の方向への表面張力が生じる。したがって、溶融したはんだによる表面張力により永久磁石の磁気による吸引力に対抗することができるので、より確実に部品が永久磁石の吸引力により位置ずれするのを抑制することができる。
【００２０】
前記延出部は、前記永久磁石の磁気による吸引力の方向に交差する方向に延伸して形成されているとよい。
【００２１】
非可逆回路素子の周囲に配置される各部品は、永久磁石の磁気による吸引力の方向に移動し易い。しかしながら、ランド電極の延出部が吸引力の方向に交差する方向に延伸して形成されているので、ランド電極の位置ずれを抑制するはんだフィレットが溶融したときに、溶融したはんだによる表面張力が永久磁石に向う吸引力と異なる方向に生じる。したがって、溶融したはんだの表面張力と永久磁石に向う吸引力とが確実に互いに相殺されるので、より確実に部品が永久磁石の磁気による吸引力により位置ずれするのを抑制することができる。
【００２２】
また、２個の前記ランド電極が所定距離隔てて前記永久磁石の磁気による吸引力の方向に直交する方向に並べて配置され、前記両ランド電極のそれぞれに前記延出部が互いに異なる方向に延伸して形成されているとよい。
【００２３】
このようにすると、所定距離隔てて永久磁石の磁気による吸引力の方向に直交する方向に並べて配置された２個のランド電極に、一の部品が実装された場合に、両ランド電極のそれぞれに延出部が形成されているので、当該部品の側面の各延出部の位置にはんだフィレットが形成される。したがって、２個のランド電極に実装された一の部品が永久磁石の磁気による吸引力により位置ずれするのを抑制することができる。また、２個のランド電極のそれぞれに延出部が互いに異なる方向に延伸して形成されているので、リフロー等により各フィレットのはんだが溶融した際に、溶融した各フィレットのはんだによる表面張力が互いに異なる方向に生じて互いに相殺される。したがって、２個のランド電極に実装された一の部品が、各フィレットのはんだが溶融したときに生じる表面張力により位置ずれするのを抑制することができる。
【００２４】
また、前記ランド電極の端縁部分に複数の前記延出部が互いに異なる方向に延伸して形成されていてもよい。
【００２５】
このように構成すると、ランド電極に実装された部品の側面の各延出部の位置にはんだフィレットが形成される。したがって、ランド電極に実装された部品が永久磁石の磁気による吸引力により位置ずれするのを複数のはんだフィレットにより確実に抑制することができる。また、ランド電極の端縁部分に複数の延出部が互いに異なる方向に延伸して形成されているので、リフロー等により各フィレットのはんだが溶融した際に、溶融した各フィレットのはんだによる表面張力が互いに異なる方向に生じて互いに相殺される。したがって、ランド電極に実装された部品が、各フィレットのはんだが溶融したときに生じる表面張力により位置ずれするのを抑制することができる。
【００２６】
また、前記各延出部のうち、少なくとも２個の前記延出部が前記永久磁石の磁気による吸引力の方向に平行な直線について線対称の位置に配置されていてもよい。
【００２７】
このようにすれば、２個の延出部が線対称の位置に互いに異なる方向に延伸して配置されているので、ランド電極に実装された部品の側面の線対称の位置にバランスよくはんだフィレットを形成することができる。また、リフロー等により各フィレットのはんだが溶融した際に、溶融した各フィレットのはんだによる表面張力の方向が線対称となるので、各表面張力がバランスよく相殺または合成される。したがって、ランド電極に実装された部品が、各フィレットのはんだが溶融したときに生じる表面張力により位置ずれするのを抑制することができる。
【００２８】
また、２個の前記ランド電極が所定距離隔てて配置され、一方の前記ランド電極の他方の前記ランド電極に対向する端縁部分に、２個の前記延出部が所定間隔を開けて配置されると共に互いに外側に広がるように延伸して形成され、前記他方のランド電極の前記一方のランド電極に対向する端縁部分に、２個の前記延出部が所定間隔を開けて配置されると共に互いに外側に広がるように延伸して形成されているとよい。
【００２９】
このように構成すると、２個のランド電極に、一の部品が実装された場合に、各ランド電極の内側に向って延出部が形成されているので、当該部品の側面に形成されるはんだフィレットの部品の外側方向への広がりを抑制することができる。したがって、隣接する部品どうしがはんだにより短絡するのを防止することができるので、各部品の狭ギャップ化を図ることができる。
【００３０】
また、２個の前記ランド電極が所定距離隔てて配置され、一方の前記ランド電極の他方の前記ランド電極と反対側の端縁部分に、２個の前記延出部が所定間隔を開けて配置されると共に互いに外側に広がるように延伸して形成され、前記他方のランド電極の前記一方のランド電極と反対側の端縁部分に、２個の前記延出部が所定間隔を開けて配置されると共に互いに外側に広がるように延伸して形成されていてもよい。
【００３１】
このように構成すると、２個のランド電極に、一の部品が実装された場合に、各ランド電極の外側に向って延出部が形成されているので、当該部品の側面に形成されるはんだフィレットが部品の外側方向に広がって形成される。したがって、一の部品が実装される２個のランド電極がはんだにより短絡するのを防止することができる。また、当該部品の外周の四方にはんだフィレットが形成されるので、リフロー等により各フィレットのはんだが溶融した場合に、溶融した各フィレットのはんだの表面張力は互いに四方に広がる方向に生じる。したがって、各表面張力が互いにバランスよく相殺されるので、溶融した各フィレットのはんだの表面張力により部品が位置ずれするのを防止することができる。また、溶融したはんだの表面張力によるセルフアライメント効果をさらに向上させることができる。
【００３２】
また、直方体状の前記部品が、その長手方向が前記永久磁石の磁気による吸引力の方向にほぼ直交するように配置されて前記ランド電極に実装され、前記部品の長手方向における両端それぞれに前記外部電極が設けられているとよい。
【００３３】
直方体状の部品が、その長手方向が永久磁石の磁気による吸引力の方向にほぼ直交するように配置されると、部品の長手方向における両端それぞれに設けられた外部電極の両方が同じ大きさの吸引力により永久磁石に向って吸引される。そのため、このように配置された部品は永久磁石に向う吸引力により位置ずれし易い。しかしながら、このように配置される部品が実装されるランド電極に延出部が形成されているので、上記したように、当該部品が磁気による吸引力により位置ずれするのを抑制することができる。
【００３４】
また、前記非可逆回路素子は、一対の前記永久磁石を有し、一方の前記永久磁石の一の磁極と他方の前記永久磁石の反対の磁極との間にフェライトが配置されて形成されているとよい。
【００３５】
このようにすると、非常に実用的な構成の非可逆回路素子を備える部品モジュールを提供することができる。
【発明の効果】
【００３６】
非可逆回路素子の周囲に配置される各部品のうち、非可逆回路素子が有する永久磁石による磁界の磁力線が密な部分に配置される部品が、磁力線が疎な部分に配置される部品よりも非可逆回路素子から離れて位置している。したがって、非可逆回路素子に向う吸引力の大きさが大きい磁力線が密な部分における部品が非可逆回路素子から離れて配置されることにより、非可逆回路素子の周囲に配置される複数の部品が永久磁石の磁気による吸引力により移動して位置ずれするのを抑制することができる。
【図面の簡単な説明】
【００３７】
【図１】本発明の部品モジュールの第１実施形態を示し、（ａ）は配置状態を示す平面図、（ｂ）は回路ブロック図である。
【図２】非可逆回路素子の周囲に設けられたランド電極の配置状態を示す平面図である。
【図３】磁気による吸引力の方向とランド電極の配置状態との関係の一例を示す図であって、（ａ）はランド電極を示し、（ｂ）はランド電極に部品が実装された状態を示す。
【図４】磁気による吸引力の方向とランド電極の配置状態との関係の他の例を示す図であって、（ａ）はランド電極を示し、（ｂ）はランド電極に部品が実装された状態を示す。
【図５】非可逆回路素子の周囲に設けられたランド電極の配置状態の変形例を示す平面図であって、（ａ）はランド電極の配置状態を示し、（ｂ）はランド電極に部品が実装された状態を示す。
【図６】非可逆回路素子の周囲に設けられたランド電極の変形例を示す平面図であって、（ａ）はランド電極の配置状態を示し、（ｂ）はランド電極に部品が実装された状態を示す。
【図７】磁気による吸引力の方向とランド電極の形状および配置状態との関係の変形例を示す図であって、（ａ）はランド電極を示し、（ｂ）はランド電極に部品が実装された状態を示す。
【図８】本発明の第２実施形態にかかる非可逆回路素子の周囲に設けられたランド電極の配置状態を示す平面図であって、（ａ）はランド電極の配置状態を示し、（ｂ）はランド電極に部品が実装された状態を示す。
【図９】図８のランド電極の配置状態と磁気による吸引力の方向との関係を示す図であって、（ａ）はランド電極を示し、（ｂ）はランド電極に部品が実装された状態を示す。
【図１０】磁気による吸引力の方向とランド電極の配置状態との関係の変形例を示す図であって、（ａ）はランド電極を示し、（ｂ）はランド電極に部品が実装された状態を示す。
【図１１】本発明の第３実施形態にかかる非可逆回路素子の周囲に設けられたランド電極の配置状態を示す平面図であって、（ａ）はランド電極の配置状態を示し、（ｂ）はランド電極に部品が実装された状態を示す。
【図１２】図１１のランド電極の配置状態と磁気による吸引力の方向との関係を示す図であって、（ａ）はランド電極を示し、（ｂ）はランド電極に部品が実装された状態を示す。
【図１３】磁気による吸引力の方向とランド電極の配置状態との関係の変形例を示す図であって、（ａ）はランド電極を示し、（ｂ）はランド電極に部品が実装された状態を示す。
【図１４】本発明の第４実施形態にかかる非可逆回路素子の周囲に設けられたランド電極の配置状態を示す平面図であって、（ａ）はランド電極の配置状態を示し、（ｂ）はランド電極に部品が実装された状態を示す。
【図１５】本発明の第５実施形態にかかる非可逆回路素子の周囲に設けられたランド電極の配置状態を示す平面図であって、（ａ）はランド電極の配置状態を示し、（ｂ）はランド電極に部品が実装された状態を示す。
【図１６】本発明の第６実施形態にかかる非可逆回路素子の周囲に設けられたランド電極の配置状態を示す平面図であって、（ａ）はランド電極の配置状態を示し、（ｂ）はランド電極に部品が実装された状態を示す。
【図１７】本発明の第７実施形態にかかる非可逆回路素子の周囲に設けられたランド電極の配置状態を示す平面図であって、（ａ）はランド電極の配置状態を示し、（ｂ）はランド電極に部品が実装された状態を示す。
【図１８】非可逆回路素子の周囲に設けられたランド電極の配置状態の参考例を示す平面図であって、（ａ）はランド電極の配置状態を示し、（ｂ）はランド電極に部品が実装された状態を示す。
【図１９】非可逆回路素子の周囲に設けられたランド電極の配置状態の参考例を示す平面図であって、（ａ）はランド電極の配置状態を示し、（ｂ）はランド電極に部品が実装された状態を示す。
【図２０】非可逆回路素子の一例を示す図である。
【図２１】図１９の非可逆回路素子の分解斜視図である。
【発明を実施するための形態】
【００３８】
＜第１実施形態＞
本発明の第１実施形態について、図１〜図４を参照して説明する。図１は本発明の部品モジュールの第１実施形態を示し、（ａ）は配置状態を示す平面図、（ｂ）は回路ブロック図、図２は非可逆回路素子の周囲に設けられたランド電極の配置状態を示す平面図である。図３は磁気による吸引力の方向とランド電極の配置状態との関係の一例を示す図であって、（ａ）はランド電極を示し、（ｂ）はランド電極に部品が実装された状態を示す。図４は吸引力の方向とランド電極の配置状態との関係の他の例を示す図であって、（ａ）はランド電極を示し、（ｂ）はランド電極に部品が実装された状態を示す。
【００３９】
（部品モジュールの構成）
図１（ａ），（ｂ）に示す部品モジュール１は、この実施形態では、樹脂やセラミックなどにより形成された基板２の実装面２ａに、予め定められた特定方向にのみ信号を伝送する特性を有するアイソレータにより形成される非可逆回路素子１００、各種の部品３、送信信号を増幅するパワーアンプ４などが実装されて電力増幅モジュールとして形成される。また、部品モジュール１は、無線ＬＡＮ規格やＢｌｕｅｔｏｏｔｈ（登録商標）規格等の通信規格により通信を行う無線通信機器、携帯電話などの通信端末の送信回路部において使用される。
【００４０】
なお、図２に示すように、基板２の実装面２ａの非可逆回路素子１００の実装位置の周囲に複数のランド電極１０が形成されている。そして、各部品３の外部電極３ａが、それぞれ、各ランド電極１０にはんだにより接続されることにより、複数の部品３が非可逆回路素子１００の周囲に配置される。
【００４１】
基板２は、面内導体やビア導体等の所定の配線電極が形成された複数枚のセラミックグリーンシートの積層体が焼成された積層基板や積層樹脂基板などが、部品モジュール１の使用目的に応じて適宜選択されて使用される。また、部品モジュール１の使用目的に応じて、キャパシタやインダクタなどの部品が内蔵された基板２が採用されてもよい。
【００４２】
なお、基板２の実装面２ａに設けられた各ランド電極１０の形状および配置状態については後で詳細に説明する。
【００４３】
各部品３それぞれは、直方体状の部品本体を有し、部品本体の長手方向における両端それぞれに外部電極３ａが設けられたチップキャパシタやチップインダクタ、チップ抵抗などのチップ部品により形成される。また、チップキャパシタやチップインダクタ、チップ抵抗などが適宜選択されて基板２の実装面２ａのランド電極１０にはんだを用いて実装された部品３により、非可逆回路素子１００の特性が適宜調整される。また、基板２の実装面２ａに実装されたチップキャパシタやチップインダクタ、チップ抵抗などの各種の部品３により、部品モジュール１を形成するのに必要な整合回路等の種々の回路が形成される。
【００４４】
なお、部品３の外部電極３にはＦｅ、Ｃｏ、Ｎｉなどの磁性体が含まれている。また、非可逆回路素子１００の周囲に配置された各部品の配置状態については後で詳細に説明する。
【００４５】
パワーアンプ４は、送信信号を増幅する機能を有し、部品モジュール１の使用目的に応じて、高周波帯域の送信信号を増幅する機能を有するものなど、適宜、種々の回路構成でパワーアンプ４を形成すればよい。
【００４６】
非可逆回路素子１００は、図２０および図２１に示す非可逆回路素子１００とほぼ同様の構成を備えており、一対の対向する主面を有するフェライト１０１と、一対の永久磁石１０２とを備え、一方の永久磁石１０２の一の磁極と他方の永久磁石１０２の反対の磁極との間にフェライト１０１が配置されて形成されている。具体的には、フェライト１０１および永久磁石１０２は直方体状に形成されており、図２（および図２０、図２１）に示すように、永久磁石１０２の直流磁界Ｂが、フェライト１０１の主面に対してほぼ垂直方向に印加されるように、フェライト１０１および永久磁石１０２が、例えばエポキシ系の接着剤１０８を介して接合される。
【００４７】
また、フェライト１０１の両主面に直交する側面のうちの一つには、入力端子１０５、出力端子１０６および接地端子１０７が設けられている。また、フェライト１０１には、一端が入力端子１０５に接続され、他端が出力端子１０６に接続された第１の中心電極１０３と、両主面上では中心電極１０３と絶縁された状態で、一端が出力端子１０６に接続され、他端が接地端子１０７に接続された第２の中心電極１０４とが設けられている。
【００４８】
中心電極１０３は、フェライト１０１に導体膜により形成されており、フェライト１０１の一方の主面の右下の入力端子１０５から立ち上がり、２本に分岐した状態で左上方に比較的小さな角度で傾斜して延伸されている。そして、中心電極１０３は、左上方に立ち上がり、上端面に設けられた中継用電極を介して他方の主面に回り込んでいる。さらに、中心電極１０３は、他方の主面において、一方の主面から見て、当該主面に形成された中心電極１０３とほぼ重なるように左上方から右下方に向かって形成されて出力端子１０６と接続される。
【００４９】
また、中心電極１０４は、フェライトの両主面上で中心電極１０３と絶縁された状態で導体膜によりフェライト１０１に形成されており、フェライト１０１の一方の主面の右下の出力端子１０６から、フェライト１０１の長辺に対して比較的大きな角度で傾斜した状態で中心電極１０３と交差しつつフェライト１０１を巻回するように形成されて接地端子１０７と接続される。なお、中心電極１０３，１０４の交差角など、中心電極１０３，１０４のフェライト１０１に対する巻回状態が適宜調整されることで、非可逆回路素子１００の入力インピーダンスや挿入損失などの電気的特性が調整される。
【００５０】
また、フェライト１０１、例えばＹＩＧフェライトにより形成することができ、中心電極１０３，１０４および各端子１０５〜１０７は、銀や銀合金の厚膜または薄膜として印刷、転写、フォトリソグラフィなどの工法によりで形成することができる。また、中心電極１０３，１０４を絶縁する絶縁膜は、ガラスやアルミナなどの誘電体厚膜、ポリイミドなどの樹脂膜などを用いて、印刷、転写、フォトリソグラフィなどの工法で形成することができる。
【００５１】
なお、フェライト１０１は、絶縁膜および各種電極を含めて磁性体材料にて一体的に焼成することができ、この場合、各種電極を高温焼成に耐えるＰｄ、ＡｇまたはＰｄ／Ａｇにより形成するとよい。
【００５２】
また、永久磁石１０２の材質としては、残留磁束密度、保磁力といった磁気特性に優れ、高周波帯における絶縁性（低損失性）にも優れているストロンチウム系フェライトマグネットや、残留磁束密度、保磁力といった磁気特性に優れており、小型化に適し、高周波帯における絶縁性を考慮しても使用可能なランタン・コバルト系フェライトマグネットなど、どのような材質のものを採用してもよい。
【００５３】
以上のように構成された部品モジュール１では、図１（ｂ）に示すように、入力ポートＰｉｎを介して入力された送信信号がパワーアンプ４により増幅され、増幅された送信信号が非可逆回路素子１００を介して出力ポートＰｏｕｔから出力される。なお、図１（ｂ）では、部品モジュール１の主要な構成のみが図示されており、整合回路などのその他の構成は図示省略されている。
【００５４】
（ランド電極の構成）
ランド電極の構成について説明する。なお、図１および図２に示すように、この実施形態では、基板２の実装面２ａに所定距離隔てて並べて配置された短冊形状の２個のランド電極１０の組のそれぞれに、一の部品３の両端に設けられた外部電極３ａがそれぞれはんだを用いて接続されることにより、一の部品３が２個のランド電極１０に対して実装される。また、この実施形態では、部品３が実装される２個のランド電極１０の配置状態として、以下で説明する２通りの配置状態が採用されている。
【００５５】
（１）ランド電極の配置状態の一例
部品３が実装される２個のランド電極１０の組のうちの一部は、例えば図３（ａ）に示すように、永久磁石１０２の磁気による吸引力の方向である矢印αの方向に２個のランド電極１０が所定距離隔てて並べて配置されている。また、２個のランド電極１０のうち、非可逆回路素子１００からの距離が遠い方のランド電極１０は、その端縁部分に該端縁部分から延出した舌状の延出部１１を有している。なお、組を成す２個のランド電極１０の間隔は、部品３の長手方向における両端に設けられた外部電極３ａ間の距離とほぼ同一に設定されている。
【００５６】
また、延出部１１は、ランド電極１０の非可逆回路素子１００から遠い側の端縁部分に形成されている。すなわち、ランド電極１０の非可逆回路素子１００から遠い側の端縁部分には、２個の延出部１１が、互いに外側に広がるように異なる方向に延伸して形成されている。したがって、２個の延出部１１は、吸引力の方向である矢印αの方向に交差する方向に延伸して形成される。また、２個の延出部１１は、矢印αの方向に平行な直線Ｌについて線対称の位置に配置されている。
【００５７】
このように配置された２個のランド電極１０の組には、図３（ｂ）に示すように、直方体状の部品本体の長手方向が矢印αにほぼ平行に配置された部品３がはんだを用いて実装される。また、基板２の実装面２ａに実装された状態の部品３からはみ出したランド電極１０の延出部１１の位置において、部品３の外部電極３ａの側面にはんだフィレットが形成される。また、リフロー等により、各フィレットを形成するはんだが溶融した際には、各延出部１１の延伸方向である矢印βの方向に表面張力が生じる。
【００５８】
（２）ランド電極の配置状態の他の例
部品３が実装される２個のランド電極１０の組のうちの残りは、例えば図４（ａ）に示すように、永久磁石１０２の磁気による吸引力の方向である矢印αの方向に直交する方向に２個のランド電極１０が所定距離隔てて並べて配置されている。また、２個のランド電極１０それぞれは、その端縁部分に舌状の延出部１１を有している。なお、組を成す２個のランド電極１０の間隔は、部品３の長手方向における両端に設けられた外部電極３ａ間の距離とほぼ同一に設定されている。
【００５９】
また、延出部１１は、２個のランド電極１０それぞれの非可逆回路素子１００から遠い側の端縁部分に形成されている。すなわち、２個のランド電極１０それぞれの非可逆回路素子１００から遠い側の端縁部分には、延出部１１が、互いに外側に広がるように異なる方向に延伸して形成されている。したがって、２個のランド電極１０それぞれに設けられた両延出部１１は、吸引力の方向である矢印αの方向に交差する方向に延伸して形成されている。また、２個のランド電極１０それぞれに設けられた両延出部１１は、矢印αの方向に平行な直線Ｌについて線対称の位置に配置されている。
【００６０】
このように配置された２個のランド電極１０の組には、図４（ｂ）に示すように、直方体状の部品本体の長手方向が矢印αにほぼ直交するように配置されて部品３がはんだを用いて実装される。また、基板２の実装面２ａに実装された状態の部品３からはみ出したランド電極１０の延出部１１の位置において、部品３の外部電極３ａの側面にはんだフィレットが形成される。また、リフロー等により、各フィレットを形成するはんだが溶融した際には、各延出部１１の延伸方向である矢印βの方向に表面張力が生じる。
【００６１】
（各部品の配置状態）
各部品の配置状態について説明する。なお、図１（ａ）および図２中の点線は、非可逆回路素子１００から等距離の位置を示している。また、後の説明で用いる、図５，図６，図８，図１１，図１４〜図１９においても、同様に非可逆回路素子１００から等距離の位置が点線で示されているが、これらの図に関するその説明は省略する。
【００６２】
図２に示すように、非可逆回路素子１００では、各永久磁石１０２の主面に直交する直流磁界Ｂが生じており、磁極が存在する各永久磁石１０２の主面付近（図２の紙面に向かって非可逆回路素子１００の左右方向における両側）における磁界の磁力線は密な状態となる。その一方で、磁極が存在しない各永久磁石１０２の側面付近（図２の紙面に向かって非可逆回路素子１００の上下方向における両側）における磁界の磁力線は、各永久磁石１０２の主面付近と比較すると疎な状態となる。
【００６３】
そこで、図２に示すように、非可逆回路素子１００が有する永久磁石１０２による磁界の磁力線が密な部分である非可逆回路素子１００の左右方向における両側の各ランド電極１０は、磁力線が疎な部分である非可逆回路素子１００の上下方向における両側の各ランド電極１０よりも非可逆回路素子１００から離れて配置されている。したがって、図１（ａ）に示すように、各部品３のうち、非可逆回路素子１００の左右方向における両側に配置される部品３が、非可逆回路素子１００の上下方向における両側に配置される部品３よりも非可逆回路素子１００から離れて位置している。
【００６４】
また、図２に示すように、永久磁石１０２による磁界の磁力線密度がほぼ同様の位置に隣接配置される各ランド電極１０は、永久磁石１０２の磁気による吸引力の方向である矢印αの方向に直交する方向に所定距離隔てて並べて配置された２個のランド電極１０の組が、矢印αの方向に所定距離隔てて並べて配置された２個のランド電極１０よりも非可逆回路素子１００から離れて配置されている。したがって、図１（ａ）に示すように、隣接配置される複数の部品３について、矢印αの方向に部品本体の長手方向がほぼ直交して配置された部品３が、矢印αの方向に部品本体の長手方向がほぼ平行に配置された部品よりも非可逆回路素子１００から離れて位置している。
【００６５】
以上のように、この実施形態によれば、非可逆回路素子１００の周囲に、非可逆回路素子１００が有する永久磁石１０２による磁界の磁力線が疎な部分と密な部分とが形成される。また、非可逆回路素子１００の周囲に配置される複数の部品３それぞれが有する外部電極３ａが、永久磁石１０２による磁界の磁力線が疎な部分から密な部分に向う矢印αの方向への吸引力により永久磁石１０２（非可逆回路素子１００）に向って吸引される。また、各部品３（外部電極３ａ）を吸引する吸引力の大きさは、各部品３が配置された位置における磁力線が密であるほど大きくなる。
【００６６】
しかしながら、各部品３のうち、非可逆回路素子１００が有する永久磁石１０２による磁界の磁力線が密な部分に配置される部品３が、磁力線が疎な部分に配置される部品３よりも非可逆回路素子１００から離れて位置している。永久磁石１０２による磁界の磁力線は非可逆回路素子１００から離れるのに従い疎になるので、永久磁石１０２の磁気による吸引力の大きさは、永久磁石１０２から離れるのに従い小さくなる。したがって、永久磁石１０２による磁力線が密な部分における部品３が非可逆回路素子１００から離れて配置されることにより、例えば金属製のヨークを省略しても、非可逆回路素子１００の周囲に配置される複数の部品３が永久磁石１０２の磁気による吸引力により移動して位置ずれするのを抑制することができる。また、各部品３の位置ずれが抑制されるので、部品３の位置ずれ不良の発生率を低減することができる。
【００６７】
また、隣接配置されることにより磁力線密度がほぼ同様の位置に配置された複数の部品３について、直方体状の部品本体の長手方向が永久磁石１０２の磁気による吸引力の方向である矢印αの方向にほぼ直交して配置された一方の部品３は、部品本体の長手方向における両端それぞれに設けられた外部電極３ａが、永久磁石１０２（非可逆回路素子１００）からの距離がほぼ同一の距離に配置される。したがって、部品本体両端それぞれに設けられた外部電極３ａは、両方ともにほぼ同じ大きさの吸引力により非可逆回路素子１００に向って矢印αの方向に吸引される。
【００６８】
その一方で、永久磁石１０２の磁気による吸引力の方向である矢印αの方向に部品本体の長手方向がほぼ平行に配置された他方の部品３では、部品本体の長手方向における両端それぞれに設けられた外部電極３ａのうち、永久磁石１０２からの距離が遠い位置に配置された外部電極３ａを吸引する吸引力の大きさは、永久磁石１０２からの距離が近い位置に配置された外部電極３ａを吸引する吸引力の大きさよりも小さい。
【００６９】
また、一方の部品３と他方の部品３とが非可逆回路素子１００からの距離がほぼ同じ位置に配置された場合に、非可逆回路素子１００により近い位置に配置される外部電極３ａの数は、一方の部品３の方が他方の部品３に比べて多い。したがって、一方の部品３は、他方の部品３よりも大きい吸引力で非可逆回路素子１００（永久磁石１０２）に向って矢印Ｙの方向に吸引される。しかしながら、より大きな吸引力で吸引される一方の部品３が、他方の部品３よりも非可逆回路素子１００から離れて位置することにより、一方の部品３を吸引する吸引力の大きさの低減が図られている。したがって、各部品３が永久磁石１０２の磁気による吸引力により位置ずれするのをより効果的に抑制することができる。
【００７０】
また、ランド電極１０の端縁部分に舌状の延出部１１が設けられているので、延出部１１にはんだ溜まりが生じて部品３の外部電極３ａの側面にはんだフィレットが形成される。したがって、はんだフィレットにより、永久磁石１０２の磁気による吸引力により部品３が位置ずれするのを抑制することができる。また、リフロー等によりフィレットのはんだが溶融した場合は、溶融したはんだにより生じる矢印βの方向への表面張力により、永久磁石１０２に向う矢印αの方向への吸引力により部品３が位置ずれするのを抑制することができる。
【００７１】
また、部品３の外部電極３ａの側面に形成されるはんだフィレットにより部品３の位置ずれを抑制することができるので、各部品３および非可逆回路素子１００を互いに近接配置することができる。したがって、各部品３および非可逆回路素子１００の狭ギャップ化を図り、基板２の実装面２ａに実装される部品３の高密度化を図ることができる。また、延出部１１に形成されるはんだフィレットが溶融したときに生じる表面張力により、部品３のセルフアライメント効果の向上を図ることができる。
【００７２】
また、延出部１１は、非可逆回路素子１００から遠い側の端縁部分に形成されているので、非可逆回路素子１００から遠い側の端縁部分に形成された延出部１１の位置において部品３の外部電極３ａの側面にはんだフィレットが形成される。したがって、リフロー等によりはんだが溶融した際に、非可逆回路素子１００（永久磁石１０２）に向って部品３（外部電極３ａ）を吸引する矢印αの方向への吸引力と、反対側の矢印βの方向への表面張力が生じる。したがって、磁気による吸引力に溶融したはんだによる表面張力により対抗することができるので、より確実に部品が永久磁石１０２の吸引力により位置ずれするのを抑制することができる。
【００７３】
また、非可逆回路素子１００の周囲に配置される各部品３は、永久磁石１０２の磁気による吸引力の方向である矢印αの方向に移動し易い。しかしながら、ランド電極１０の延出部１１が矢印αの方向に交差する方向に延伸して形成されているので、ランド電極１０の位置ずれを抑制するはんだフィレットが溶融したときに、溶融したはんだによる表面張力が永久磁石１０２に向う吸引力と異なる矢印βの方向に生じる。したがって、溶融したはんだの表面張力と永久磁石１０２に向う吸引力とが確実に互いに相殺されるので、より確実に部品３が永久磁石１０２の磁気による吸引力により位置ずれするのを抑制することができる。
【００７４】
また、部品本体の長手方向が吸引力の方向である矢印αの方向に直交して配置される部品３が実装される２個のランド電極１０が、所定距離隔てて矢印αの方向に直交する方向に並べて配置されている。また、両ランド電極１０それぞれの非可逆回路素子１００から遠い側の端縁部分に設けられた延出部１１は、互いに外側に広がるように異なる方向に延伸して形成されている。そのため、所定距離隔てて矢印αの方向に直交する方向に並べて配置された２個のランド電極１０に、一の部品３が実装された場合に、両ランド電極１０のそれぞれに延出部１１が形成されているので、当該部品３の外部電極３ａの側面の各延出部１１の位置にはんだフィレットが形成される。
【００７５】
したがって、２個のランド電極１０に実装された一の部品３が永久磁石１０２の磁気による吸引力により位置ずれするのを抑制することができる。また、２個のランド電極１０のそれぞれに延出部１１が互いに異なる方向に延伸して形成されているので、リフロー等により各フィレットのはんだが溶融した際に、溶融した各フィレットのはんだによる表面張力が互いに異なる方向に生じて互いに相殺される。したがって、２個のランド電極１０に実装された一の部品３が、各フィレットのはんだが溶融したときに生じる表面張力により位置ずれするのを抑制することができる。
【００７６】
また、部品本体の長手方向が吸引力の方向である矢印αの方向に平行に配置される部品３が実装される２個のランド電極１０が、所定距離隔てて矢印αの方向に並べて配置されている。また、非可逆回路素子１００から遠い方のランド電極１０の非可逆回路素子１００から遠い側の端縁部分に設けられた２個の延出部１１は、互いに外側に広がるように異なる方向に延伸して形成されている。そのため、当該ランド電極１０に接続された部品３の外部電極３ａの側面の各延出部１１の位置にはんだフィレットが形成される。
【００７７】
したがって、両ランド電極１０に実装された部品３が永久磁石１０２の磁気による吸引力により位置ずれするのを複数のはんだフィレットにより確実に抑制することができる。また、非可逆回路素子１００から遠い方のランド電極１０の端縁部分に複数の延出部１１が互いに異なる方向に延伸して形成されているので、リフロー等により各フィレットのはんだが溶融した際に、溶融した各フィレットのはんだによる表面張力が互いに異なる方向に生じて互いに相殺される。したがって、当該ランド電極１０に接続された部品３が、各フィレットのはんだが溶融したときに生じる表面張力により位置ずれするのを抑制することができる。
【００７８】
また、各部品３が実装される２個のランド電極１０の組のそれぞれには、２個の延出部１１が永久磁石１０２の磁気による吸引力の方向である矢印αの方向に平行な直線Ｌについて線対称の位置に配置されている。したがって、２個のランド電極１０の組において、２個の延出部１１が直線Ｌについて線対称の位置に互いに異なる方向に延伸して配置されているので、２個のランド電極１０の組に実装された部品３の外部電極３ａの側面の直線Ｌについて線対称の位置にバランスよくはんだフィレットを形成することができる。また、リフロー等により各フィレットのはんだが溶融した際に、溶融した各フィレットのはんだによる表面張力の方向が直線Ｌについて線対称となるので、各表面張力がバランスよく相殺または合成される。したがって、２個のランド電極１０の組に実装された部品３が、各フィレットのはんだが溶融したときに生じる表面張力により位置ずれするのを抑制することができる。
【００７９】
また、直方体状の部品本体を有する部品３が、その長手方向が永久磁石の磁気による吸引力の方向である矢印αの方向にほぼ直交するように配置されると、部品３の長手方向における両端それぞれに設けられた外部電極３ａの両方が同じ大きさの吸引力により永久磁石１０２に向って吸引される。そのため、このように配置された部品３は永久磁石１０２に向う吸引力により位置ずれし易い。しかしながら、このように配置される部品３が実装されるランド電極１０に延出部１１が形成されているので、上記したように、当該部品３が磁気による吸引力により位置ずれするのを効果的に抑制することができる。
【００８０】
また、一対の永久磁石１０２を有し、一方の永久磁石１０２の一の磁極と他方の永久磁石１０２の反対の磁極との間にフェライト１０１が配置されて形成された、非常に実用的な構成の非可逆回路素子１００を備える部品モジュール１を提供することができる。
【００８１】
（変形例）
変形例について図５〜図７を参照して説明する。図５および図６それぞれは非可逆回路素子の周囲に設けられたランド電極の配置状態の変形例を示す平面図であって、（ａ）はランド電極の配置状態を示し、（ｂ）はランド電極に部品が実装された状態を示す。図７は磁気による吸引力の方向とランド電極の形状および配置状態との関係の変形例を示す図であって、（ａ）はランド電極を示し、（ｂ）はランド電極に部品が実装された状態を示す。
【００８２】
図５（ａ），（ｂ）に示す例では、永久磁石１０２の磁気による吸引力の方向に部品本体の長手方向がほぼ直交するように配置される部品３が実装される２個のランド電極１０の組のみが非可逆回路素子１００の周囲に設けられている。そして、磁気による吸引力の方向に部品本体の長手方向が直交するように各部品３が非可逆回路素子１００の周囲に配置される。
【００８３】
図６（ａ），（ｂ）に示す例では、永久磁石１０２の磁気による吸引力の方向に部品本体の長手方向がほぼ直交するように配置される部品３が実装される２個のランド電極１０の組において、両ランド電極１０それぞれの非可逆回路素子１００から遠い側の端縁部分に、延出部１１が互いに狭まるように延伸して形成されている。このようにすると、部品３の外部電極３ａの側面に形成されるはんだフィレットが部品３の外側方向に広がって形成されるおそれを抑制することができる。したがって、隣接する部品３どうしがはんだにより短絡するのを防止することができるので、各部品３の狭ギャップ化を図ることができる。
【００８４】
図７（ａ），（ｂ）に示す例では、永久磁石１０２の磁気による吸引力の方向に部品本体の長手方向がほぼ平行に配置される部品３が実装される２個のランド電極１０の組において、非可逆回路素子１００に近い方のランド電極１０の非可逆回路素子１００から遠い側の端縁部分に２個の延出部１１が設けられている。また、２個の延出部１１は、ランド電極の両端に互いに外側に広がるように延伸して形成されている。このようにすると、部品３の外部電極３ａの側面に形成されるはんだフィレットの部品３の外側方向への広がりを抑制することができる。したがって、隣接する部品３どうしがはんだにより短絡するのを防止することができるので、各部品３の狭ギャップ化を図ることができる。
【００８５】
＜第２実施形態＞
本発明の第２実施形態について、図８〜図１０を参照して説明する。図８は本発明の第２実施形態にかかる非可逆回路素子の周囲に設けられたランド電極の配置状態を示す平面図であって、（ａ）はランド電極の配置状態を示し、（ｂ）はランド電極に部品が実装された状態を示す。図９は図８のランド電極の配置状態と磁気による吸引力の方向との関係を示す図であって、（ａ）はランド電極を示し、（ｂ）はランド電極に部品が実装された状態を示す。図１０は磁気による吸引力の方向とランド電極の配置状態との関係の変形例を示す図であって、（ａ）はランド電極を示し、（ｂ）はランド電極に部品が実装された状態を示す。
【００８６】
この実施形態が上記した第１実施形態と異なるのは、部品３が実装される２個のランド電極１０の組の両方のランド電極１０それぞれがその端縁部分に延出部１１を有する点である。その他の構成については、上記した第１実施形態と同様であるため、その構成については同一符号を付すことによりその説明を省略する。
【００８７】
図８（ａ）に示すように、この実施形態では、永久磁石１０２の磁気による吸引力の方向に部品本体の長手方向がほぼ直交するように配置される部品３が実装される２個のランド電極１０の組が非可逆回路素子１００の周囲に設けられている。そして、図８（ｂ）に示すように、磁気による吸引力の方向に部品本体の長手方向が直交するように各部品３が非可逆回路素子１００の周囲に配置される。
【００８８】
具体的には、図９（ａ）に示すように、永久磁石１０２の磁気による吸引力の方向である矢印αの方向に直交する方向に２個のランド電極１０が所定距離隔てて並べて配置されている。また、一方のランド電極１０の他方のランド電極１０との反対側の端縁部分に、２個の延出部１１が所定間隔を開けて配置されると共に互いに外側に広がるように延伸して形成されている。また、他方のランド電極１０の一方のランド電極１０と反対側の端縁部分に、２個の延出部１１が所定間隔を開けて配置されると共に互いに外側に広がるように延伸して形成されている。
【００８９】
また、２個のランド電極１０それぞれに設けられた各延出部１１は、吸引力の方向である矢印αの方向に交差する方向に延伸して形成されている。また、２個のランド電極１０それぞれに設けられた各延出部１１は、矢印αの方向に平行な直線Ｌについて線対称の位置に配置されている。
【００９０】
このように配置された２個のランド電極１０の組には、図９（ｂ）に示すように、直方体状の部品本体の長手方向が矢印αにほぼ直交するように配置されて部品３がはんだを用いて実装される。また、基板２の実装面２ａに実装された状態の部品３からはみ出したランド電極１０の延出部１１の位置において、部品３の外部電極３ａの側面にはんだフィレットが形成される。また、リフロー等により、各フィレットを形成するはんだが溶融した際には、各延出部１１の延伸方向である矢印βの方向に表面張力が生じる。
【００９１】
なお、上記したように２個のランド電極１０の両方に延出部１１が設けられたランド電極１０の組が、永久磁石１０２の磁気による吸引力の方向に部品本体の長手方向がほぼ平行に配置されて部品３が実装されるように、非可逆回路素子１００の周囲に設けられていてもよい。
【００９２】
具体的には、図１０（ａ）に示すように、永久磁石１０２の磁気による吸引力の方向である矢印αの方向に２個のランド電極１０が所定距離隔てて並べて配置される。また、両ランド電極１０のそれぞれに、図９（ａ）に示す例と同様に、２個の延出部１１が互いに外側に広がるように異なる方向に延伸して形成される。また、両ランド電極１０にそれぞれ設けられた２個の延出部１１は、矢印αの方向に平行な直線Ｌについて線対称の位置に配置されている。
【００９３】
このように配置された２個のランド電極１０の組には、図１０（ｂ）に示すように、直方体状の部品本体の長手方向が矢印αにほぼ平行に配置された部品３がはんだを用いて実装される。また、基板２の実装面２ａに実装された状態の部品３からはみ出したランド電極１０の延出部１１の位置において、部品３の外部電極３ａの側面にはんだフィレットが形成される。また、リフロー等により、各フィレットを形成するはんだが溶融した際には、各延出部１１の延伸方向である矢印βの方向に表面張力が生じる。
【００９４】
以上のように、この実施形態では、２個のランド電極１０に、一の部品３が実装された場合に、各ランド電極１０の外側に向って延出部１１が形成されているので、当該部品３の側面に形成されるはんだフィレットが部品３の外側方向に広がって形成される。したがって、一の部品３が実装される２個のランド電極１０がはんだにより短絡するのを防止することができる。また、当該部品３の平面視における４隅にはんだフィレットが形成されるので、リフロー等により各フィレットのはんだが溶融した場合に、溶融した各フィレットのはんだの表面張力は互いに四方に広がる方向に生じる。したがって、各表面張力が互いにバランスよく相殺されるので、溶融した各フィレットのはんだの表面張力により部品３が位置ずれするのを防止することができる。また、溶融したはんだの表面張力によるセルフアライメント効果をさらに向上させることができる。
【００９５】
＜第３実施形態＞
本発明の第３実施形態について、図１１〜図１３を参照して説明する。図１１は本発明の第３実施形態にかかる非可逆回路素子の周囲に設けられたランド電極の配置状態を示す平面図であって、（ａ）はランド電極の配置状態を示し、（ｂ）はランド電極に部品が実装された状態を示す。図１２は図１１のランド電極の配置状態と磁気による吸引力の方向との関係を示す図であって、（ａ）はランド電極を示し、（ｂ）はランド電極に部品が実装された状態を示す。図１３は磁気による吸引力の方向とランド電極の配置状態との関係の変形例を示す図であって、（ａ）はランド電極を示し、（ｂ）はランド電極に部品が実装された状態を示す。
【００９６】
この実施形態が上記した第２実施形態と異なるのは、部品３が実装される２個のランド電極１０それぞれに設けられた延出部１１が延伸する方向が異なる点である。その他の構成については、上記した第１実施形態と同様であるため、その構成については同一符号を付すことによりその説明を省略する。
【００９７】
図１１（ａ）に示すように、この実施形態では、永久磁石１０２の磁気による吸引力の方向に部品本体の長手方向がほぼ直交するように配置される部品３が実装される２個のランド電極１０の組が非可逆回路素子１００の周囲に設けられている。そして、図１１（ｂ）に示すように、磁気による吸引力の方向に部品本体の長手方向が直交するように各部品３が非可逆回路素子１００の周囲に配置される。
【００９８】
具体的には、図１２（ａ）に示すように、永久磁石１０２の磁気による吸引力の方向である矢印αの方向に直交する方向に２個のランド電極１０が所定距離隔てて並べて配置されている。また、一方のランド電極１０の他方のランド電極１０に対向する端縁部分に、２個の延出部１１が所定間隔を開けて配置されると共に互いに外側に広がるように延伸して形成されている。また、他方のランド電極１０の一方のランド電極１０に対向する端縁部分に、２個の延出部１１が所定間隔を開けて配置されると共に互いに外側に広がるように延伸して形成されている。
【００９９】
また、２個のランド電極１０それぞれに設けられた各延出部１１は、吸引力の方向である矢印αの方向に交差する方向に延伸して形成されている。また、２個のランド電極１０それぞれに設けられた各延出部１１は、矢印αの方向に平行な直線Ｌについて線対称の位置に配置されている。
【０１００】
このように配置された２個のランド電極１０の組には、図１２（ｂ）に示すように、直方体状の部品本体の長手方向が矢印αにほぼ直交するように配置されて部品３がはんだを用いて実装される。また、基板２の実装面２ａに実装された状態の部品３からはみ出したランド電極１０の延出部１１の位置において、部品３の外部電極３ａの側面にはんだフィレットが形成される。また、リフロー等により、各フィレットを形成するはんだが溶融した際には、各延出部１１の延伸方向である矢印βの方向に表面張力が生じる。
【０１０１】
なお、上記したように２個のランド電極１０の両方に延出部１１が設けられたランド電極１０の組が、永久磁石１０２の磁気による吸引力の方向に部品本体の長手方向がほぼ平行に配置されて部品３が実装されるように、非可逆回路素子１００の周囲に設けられていてもよい。
【０１０２】
具体的には、図１３（ａ）に示すように、永久磁石１０２の磁気による吸引力の方向である矢印αの方向に２個のランド電極１０が所定距離隔てて並べて配置される。また、両ランド電極１０のそれぞれに、図１２（ａ）に示す例と同様に、２個の延出部１１が互いに外側に広がるように異なる方向に延伸して形成される。また、両ランド電極１０にそれぞれ設けられた２個の延出部１１は、矢印αの方向に平行な直線Ｌについて線対称の位置に配置されている。
【０１０３】
このように配置された２個のランド電極１０の組には、図１３（ｂ）に示すように、直方体状の部品本体の長手方向が矢印αにほぼ平行に配置された部品３がはんだを用いて実装される。また、基板２の実装面２ａに実装された状態の部品３からはみ出したランド電極１０の延出部１１の位置において、部品３の外部電極３ａの側面にはんだフィレットが形成される。また、リフロー等により、各フィレットを形成するはんだが溶融した際には、各延出部１１の延伸方向である矢印βの方向に表面張力が生じる。
【０１０４】
以上のように、この実施形態では、２個のランド電極１０に、一の部品３が実装された場合に、各ランド電極１０の内側に向って延出部１１が形成されているので、当該部品３の外部電極３ａの側面に形成されるはんだフィレットの部品３の外側方向への広がりを抑制することができる。したがって、隣接する部品３どうしがはんだにより短絡するのを防止することができるので、各部品３の狭ギャップ化を図ることができる。
【０１０５】
＜第４実施形態＞
本発明の第４実施形態について、図１４を参照して説明する。図１４は本発明の第４実施形態にかかる非可逆回路素子の周囲に設けられたランド電極の配置状態を示す平面図であって、（ａ）はランド電極の配置状態を示し、（ｂ）はランド電極に部品が実装された状態を示す。
【０１０６】
この実施形態が上記した第１実施形態と異なるのは、図１４（ａ），（ｂ）に示すように、隣接配置される複数の部品３を一の部品グループとして、非可逆回路素子１００が有する永久磁石１０２による磁界の磁力線が密な部分である非可逆回路素子１００の左右方向における両側に配置される部品グループが、磁力線が疎な部分である非可逆回路素子１００の上下方向における両側に配置される部品グループよりも非可逆回路素子１００から離れて位置している点である。また、永久磁石１０２の磁気による吸引力の方向にその長手方向が直交するように配置される各部品３は、磁気による吸引力の方向にその長手方向が平行に配置される各部品の外側に位置している。その他の構成については、上記した第１実施形態と同様であるため、その構成については同一符号を付すことによりその説明を省略する。
【０１０７】
＜第５実施形態＞
本発明の第５実施形態について、図１５を参照して説明する。図１５は本発明の第５実施形態にかかる非可逆回路素子の周囲に設けられたランド電極の配置状態を示す平面図であって、（ａ）はランド電極の配置状態を示し、（ｂ）はランド電極に部品が実装された状態を示す。
【０１０８】
この実施形態が上記した第４実施形態と異なるのは、図１５（ａ），（ｂ）に示すように、非可逆回路素子１００の周囲に配置される部品３の数が異なる点である。その他の構成については、上記した第４実施形態と同様であるため、その構成については同一符号を付すことによりその説明を省略する。
【０１０９】
＜第６実施形態＞
本発明の第６実施形態について、図１６を参照して説明する。図１６は本発明の第６実施形態にかかる非可逆回路素子の周囲に設けられたランド電極の配置状態を示す平面図であって、（ａ）はランド電極の配置状態を示し、（ｂ）はランド電極に部品が実装された状態を示す。
【０１１０】
この実施形態が上記した第１実施形態と異なるのは、図１６（ａ），（ｂ）に示すように、隣接配置される複数の部品３について、永久磁石１０２の磁気による吸引力の方向にその長手方向が直交するように配置される部品３と、当該吸引力の方向にその長手方向が平行に配置される部品３とが、非可逆回路素子１００から等距離の位置に配置されている点である。その他の構成については、上記した第１実施形態と同様であるため、その構成については同一符号を付すことによりその説明を省略する。
【０１１１】
＜第７実施形態＞
本発明の第７実施形態について、図１７を参照して説明する。図１７は本発明の第７実施形態にかかる非可逆回路素子の周囲に設けられたランド電極の配置状態を示す平面図であって、（ａ）はランド電極の配置状態を示し、（ｂ）はランド電極に部品が実装された状態を示す。
【０１１２】
この実施形態が上記した第１実施形態と異なるのは、図１７（ａ），（ｂ）に示すように、ランド電極１０が楕円状の平面視形状を有する点である。その他の構成については、上記した第１実施形態と同様であるため、その構成については同一符号を付すことによりその説明を省略する。
【０１１３】
なお、ランド電極１０の平面視形状としては、上記した短冊状や楕円状に限らず、円形状やＬ字状、鉤型など、部品３の構成に応じてランド電極の平面視形状を変更すればよい。
【０１１４】
＜参考例＞
参考例について、図１８および図１９を参照して説明する。図１８および図１９は、非可逆回路素子の周囲に設けられたランド電極の配置状態の参考例を示す平面図であって、（ａ）はランド電極の配置状態を示し、（ｂ）はランド電極に部品が実装された状態を示す。
【０１１５】
（参考例（１））
図１８（ａ），（ｂ）に示す参考例が上記した第１実施形態と異なるのは、磁力線密度が密な部分に配置される部品３と、磁力線密度が疎な部分に配置される部品３とが非可逆回路素子１００から等距離の位置に配置される点である。その他の構成については、上記した第１実施形態と同様であるため、その構成については同一符号を付すことによりその説明を省略する。
【０１１６】
このように構成しても、隣接配置される複数の部品３について、永久磁石１０２の磁気による吸引力の方向にその長手方向が直交するように配置される部品３が、当該吸引力の方向にその長手方向が平行に配置される部品３よりも非可逆回路素子１００から離れて位置しているので、部品３が永久磁石１０２の磁気による吸引力により位置ずれするのを抑制することができる。また、各ランド電極１０の適切な位置に延出部１１が設けられている。したがって、各部品３の外部電極３ａの側面にはんだフィレットを確実に形成することができるので、部品３の位置ずれを効果的に抑制することができる。
【０１１７】
（参考例（２））
図１９（ａ），（ｂ）に示す参考例が上記した第１実施形態と異なるのは、非可逆回路素子１００の周囲に配置される複数の部品３が、全ての非可逆回路素子１００から等距離の位置に配置されている点である。その他の構成については、上記した第１実施形態と同様であるため、その構成については同一符号を付すことによりその説明を省略する。
【０１１８】
このように構成しても、各ランド電極１０の適切な位置に延出部１１が設けられている。したがって、各部品３の外部電極３ａの側面にはんだフィレットを確実に形成することができるので、部品３の位置ずれを効果的に抑制することができる。
【０１１９】
なお、本発明は上記した実施形態に限定されるものではなく、その趣旨を逸脱しない限りにおいて、上記したもの以外に種々の変更を行なうことが可能であり、例えば、部品モジュール１に、段間フィルタ（ＳＡＷフィルタ）や電力検出器がさらに実装されていてもよいし、部品モジュール１に、デュプレクサがさらに実装されていてもよい。また、部品モジュール１に、図示省略したスイッチ、ダイプレクサなどのマルチプレクサ、カプラなどがさらに搭載されていてもよい。
【０１２０】
また、部品モジュール１は、非磁性体金属や磁性体金属などのカバーをさらに備えてもよいし、樹脂でモールドされてもよい。
【０１２１】
また、非可逆回路素子は、上記した構成を有するアイソレータに限られるものではなく、その他の構成を有する周知のアイソレータを適宜、非可逆回路素子として採用してもよい。また、サーキュレータにより非可逆回路素子を形成してもよい。また、上記した非可逆回路素子１００が倒れた状態で基板２の実装面２ａに搭載されていてもよい。
【０１２２】
また、基板２の実装面２ａに配設される部品としては上記した例に限られるものではなく、部品モジュール１の使用目的や設計に応じて、適宜、最適な部品を最適な数だけ選択すればよい。
【０１２３】
上記した各実施形態および参考例では、ランド電極の端縁部分に舌状に形成された延出部を例に挙げて説明したが、延出部の形状および形成位置は上記した例に限定されるものではない。すなわち、各種の部品が備える外部電極がランド電極に接続された際に、部品の外部電極のランド電極との接触面から平面視ではみ出すように、ランド電極の端縁部分の適切な位置に、該端縁部分から延出して延出部が形成されていればよい。より具体的には、非可逆回路が備える永久磁石とランド電極に接続される部品との相対的な位置関係、部品の永久磁石に対する向きなどに基づいて、ランド電極の端縁部分の適切な位置に適切な形状で延出部が形成されていればよい。
【０１２４】
また、永久磁石を有する非可逆回路素子が実装される基板を備える部品モジュールに本発明を広く適用することができる。
【符号の説明】
【０１２５】
１    部品モジュール
２    基板
３    チップ部品（部品）
３ａ    外部電極
１０    ランド電極
１１    延出部
１００    非可逆回路素子
１０１    フェライト
１０２    永久磁石
α    矢印（吸引力の方向）
Ｌ    吸引力の方向に平行な直線
【図１】
2015039113.tif 000003
【図２】
2015039113.tif 000004
【図３】
2015039113.tif 000005
【図４】
2015039113.tif 000006
【図５】
2015039113.tif 000007
【図６】
2015039113.tif 000008
【図７】
2015039113.tif 000009
【図８】
2015039113.tif 000010
【図９】
2015039113.tif 000011
【図１０】
2015039113.tif 000012
【図１１】
2015039113.tif 000013
【図１２】
2015039113.tif 000014
【図１３】
2015039113.tif 000015
【図１４】
2015039113.tif 000016
【図１５】
2015039113.tif 000017
【図１６】
2015039113.tif 000018
【図１７】
2015039113.tif 000019
【図１８】
2015039113.tif 000020
【図１９】
2015039113.tif 000021
【図２０】
2015039113.tif 000022
【図２１】
2015039113.tif 000023